(57)【要約】【課題】第１洗浄室で食器を洗浄しながら第２洗浄室でふきん等の繊維製品が洗浄出来る使用勝手の良い食器洗浄機を提供する。【解決手段】食器を洗浄する第１洗浄室６と、前記第１洗浄室６の洗浄運転と別に洗浄運転を行う第２洗浄室７と、前記食器と前記第２洗浄室７に収納された被洗浄物を乾燥する第１ヒータ１７、第２ヒータ４２を設けるとともに、前記第２洗浄室７にふきん３４（繊維製品）を洗浄する機能を設けたもので、通常の食器洗浄を第１洗浄室６で行いながら、第２洗浄室７でふきん等の洗浄も個別に行うことができるので、非常に使い勝手が良く、さらにふきんが温風で乾燥されるので非常に衛生的である。【選択図】図２
2005160959.tif 000002
【特許請求の範囲】
【請求項１】
食器を洗浄する第１洗浄室と、前記第１洗浄室の洗浄運転と別に洗浄運転を行う第２洗浄室と、前記食器と前記第２洗浄室に収納された被洗浄物を乾燥する乾燥手段を設けるとともに、前記第２洗浄室に繊維製品を洗浄する機能を設けた食器洗浄機。
【請求項２】
洗浄水を繊維製品の両面に交互に吹き付けるようにして前記繊維製品を洗浄するようにした請求項１記載の食器洗浄機。
【請求項３】
第２洗浄室に、繊維製品を掛ける繊維製品掛けを出し入れ自在に設けた請求項１又は２記載の食器洗浄機。
【請求項４】
温風を生成する乾燥手段を設け、第１洗浄室と第２洗浄室を連通し、前記第１洗浄室と第２洗浄室のいずれか一方の被洗浄物の乾燥に供された前記温風を他方に送り、その後外部に排出するようにした請求項１〜３のいずれか1項記載の食器洗浄機。
【請求項５】
第１洗浄室内の食器の乾燥に供された温風を第２洗浄室に送り、前記第２洗浄室内の被洗浄物を乾燥しながら、外部に排出するようにした請求項４記載の食器洗浄機。
【請求項６】
第２洗浄室内の被洗浄物の乾燥に供された温風を第１洗浄室に送り、前記第１洗浄室内の食器を乾燥しながら、外部に排出するようにした請求項４記載の食器洗浄機。
【請求項７】
第２洗浄室内に外気を取り入れる送風手段と、前記第２洗浄室に設けられ取り入れられた外気を加熱する第２ヒータと、前記第２洗浄室内の被洗浄物の有無を検知する被洗浄物検知手段と、第１洗浄室内に設けられ空気を加熱する第１ヒータと、前記第１洗浄室の空気を排出する排気口を備え、前記第１洗浄室と第２洗浄室とを連通し、前記第２洗浄室内に被洗浄物がない場合は、第１ヒータのみ通電しながら、被洗浄物がある場合は、第１、第２ヒータの両方に通電しながら、前記送風手段で外気を取り入れ前記排気口より蒸気を排出して乾燥を行う請求項１〜３のいずれか１項記載の食器洗浄機。
【請求項８】
少なくとも洗浄時に供給される水道水を加熱する加熱手段を設け、前記加熱手段を乾燥手段の熱源とする請求項１〜７のいずれか１項記載の食器洗浄機。
【請求項９】
第１ヒータ、第２ヒータを、洗浄時に供給される水道水を加熱する加熱手段と兼用する請求項８記載の食器洗浄機。
【発明の詳細な説明】
【技術分野】
【０００１】
本発明は、一般家庭で使用される乾燥手段を備えた食器洗浄機に関するものである。
【背景技術】
【０００２】
従来の食器洗浄機として、汚れた食器を洗浄し、すすぐための洗浄ノズルと、前記洗浄ノズルに水や、温水を圧送するポンプ、洗浄した後の汚れた水を排出するポンプと、ヒータで加熱された空気を洗浄槽に送る送風機を備え、洗浄ノズルで食器を、洗浄し、すすいだ後に、送風機からの温風で食器を乾燥させるようにしたものが知られている（例えば、特許文献１参照）。
また、食器の洗浄、乾燥を行う洗浄槽の横に、繊維製品掛けを有する収納ブースを併設し、前記洗浄槽からの温風で、前記繊維製品掛けに掛けられたふきんを同時に乾燥させるようにしたものもある（例えば、特許文献２参照）。
【特許文献１】特開平１１−３４６９８２号公報
【特許文献２】特開平０６−２１７９１５号公報
【発明の開示】
【発明が解決しようとする課題】
【０００３】
台所で、食器類と同時に良く使用されるものとして、ふきんがあるが、そのふきんの洗濯は、手洗いか、電気洗濯機で他の衣料と一緒に洗濯していたが、前者の場合、非常に手間がかかり、後者の場合は、洗濯そのものは楽だが、食器に直接触れるふきんを他の衣料と一緒に洗濯するのに非常に抵抗があった。また、洗濯後のふきんの乾燥も、流しの近くの壁や柱に取り付けた繊維製品掛けに掛けて行っていたが、乾きに時間がかかり非常に不衛生的であった。
また、従来の食器洗浄機では、洗浄槽に食器とふきんを一緒に入れて洗浄すると、逆に汚れがふきんの繊維に付着し、後のすすぎ工程でもその汚れが落ちず、極めて不衛生であった。また、特許文献２に示されるような食器洗浄機では、ふきんの乾燥はできても、事前の洗濯は手で行わなければならず、非常に不便であった。
本発明は、上記課題を解決するもので、食器の洗浄、乾燥と共に、ふきん等の繊維製品の洗浄、乾燥ができ、使用勝手の良い食器洗浄機を提供する事を目的とするものである。
【課題を解決するための手段】
【０００４】
上記目的を達成するために、本発明の食器洗浄機は、食器を洗浄する第１洗浄室と、前記第１洗浄室の洗浄運転と別に洗浄運転を行う第２洗浄室と、前記食器と前記第２洗浄室に収納された被洗浄物を乾燥する乾燥手段を設けるとともに、前記第２洗浄室に繊維製品を洗浄する機能を設けたもので、通常の食器洗浄を第１洗浄室で行いながら、第２洗浄室でふきん等の繊維製品の洗浄も個別に行うことができるので、非常に使い勝手が良く、さらに繊維製品が温風で乾燥されるので非常に衛生的である。
【発明の効果】
【０００５】
本発明の食器洗浄機は、第１洗浄室で通常の食器洗浄を行うと共に、第２洗浄室でふきんなどの繊維製品を同時に洗浄し、乾燥することができるので、非常に衛生的でかつ使用勝手の良いものである。
【発明を実施するための最良の形態】
【０００６】
第１の発明は、食器を洗浄する第１洗浄室と、前記第１洗浄室の洗浄運転と別に洗浄運転を行う第２洗浄室と、前記食器と前記第２洗浄室に収納された被洗浄物を乾燥する乾燥手段を設けるとともに、前記第２洗浄室に繊維製品を洗浄する機能を設けたもので、通常の食器洗浄を第１洗浄室で行いながら、第２洗浄室でふきん等の繊維製品の洗浄も個別に行うことができるので、非常に使い勝手が良く、さらに繊維製品が温風で乾燥されるので非常に衛生的である。
第２の発明は、特に、第１の発明の洗浄水を繊維製品の両面に交互に吹き付けるようにして前記繊維製品を洗浄するようにしたもので、繊維製品の両面から洗浄水が交互に吹きつけられるので洗浄効果が高く、またごみなどが片側に残ることがない。
第３の発明は、特に、第１又は第２の発明の第２洗浄室に、繊維製品を掛ける繊維製品掛けを出し入れ自在に設けたもので、繊維製品掛けを用いる事でふきんなどの繊維製品の洗浄・乾燥が効率的に行えるとともに、繊維製品掛けに繊維製品を掛けたり、外したりする作業が極めて容易になる。
第４の発明は、特に、第１〜３のいずれか1つの発明の食器洗浄機に、温風を生成する乾燥手段を設け、第１洗浄室と第２洗浄室を連通し、前記第１洗浄室と第２洗浄室のいずれか一方の被洗浄物の乾燥に供された前記温風を他方に送り、その後外部に排出するようにしたもので、１つの乾燥手段で両洗浄室の被洗浄物が乾燥できるので、構成が簡素化され安価な食器洗浄機を提供する事ができる。また、第１洗浄室と第２洗浄室の両方に乾燥手段を設けた場合、下流側の乾燥手段の消費電力が少なくて済むので、 下流側の乾燥手段を小型にすることができる。
第５の発明は、特に、第４の発明の第１洗浄室内の食器の乾燥に供された温風を第２洗浄室に送り、前記第２洗浄室内の被洗浄物を乾燥しながら、外部に排出するようにしたもので、主洗浄室である第１洗浄室からの強力な温風で、第２洗浄室の被洗浄物の乾燥も行うことで、 第２洗浄室の被洗浄物の乾燥を早める事が出来る。
第６の発明は、特に、第４の発明の第２洗浄室内の被洗浄物の乾燥に供された温風を第１洗浄室に送り、前記第１洗浄室内の食器を乾燥しながら、外部に排出するようにしたもので、第２洗浄室で、ふきんなどの繊維製品を乾燥する場合、比較的乾燥に時間がかかるが、乾いた外気が第２洗浄室側から入って乾燥が開始するので、全体的に乾燥時間が短縮できる。
第７の発明は、特に、第１〜３のいずれか1つの発明の第２洗浄室内に外気を取り入れる送風手段と、前記第２洗浄室に設けられ取り入れられた外気を加熱する第２ヒータと、前記第２洗浄室内の被洗浄物の有無を検知する被洗浄物検知手段と、第１洗浄室内に設けられ空気を加熱する第１ヒータと、前記第１洗浄室の空気を排出する排気口を備え、前記第１洗浄室と第２洗浄室とを連通し、前記第２洗浄室内に被洗浄物がない場合は、第１ヒータのみ通電しながら、被洗浄物がある場合は、第１、第２ヒータの両方に通電しながら、前記送風手段で外気を取り入れ前記排気口より蒸気を排出して乾燥を行うようにしたもので、第２洗浄室に被洗浄物が無いにもかかわらず第２ヒータに通電することにより電力を無駄に消費する事が無い。
第８の発明は、特に、第１〜７のいずれか1つの発明の食器洗浄機に少なくとも洗浄時に供給される水道水を加熱する加熱手段を設け、前記加熱手段を乾燥手段の熱源とするもので、部品点数が削減でき、しかも構成も簡略化されるので、故障も少ないものとなる。
第９の発明は、特に、第８の水道水を加熱する加熱手段として、第１ヒータ、第２ヒータを用いるもので、部品点数が削減でき、しかも構成も簡略化されるので、故障も少ないものとなる。
以下、本発明の実施の形態について、図面を参照しながら説明する。なお、この実施の形態によってこの発明が限定されるものではない。
（実施の形態１）
【０００７】
以下、本発明の第１の実施の形態における食器洗浄機を図１〜５を用いて説明する。
図１において、１は、食器洗浄機の本体で、前面には、下端を回動支点に後述の第１洗浄室６を開閉する第１扉２と、一側を回動支点にして後述する第２洗浄室７を開閉する第２扉３が配され、前面の上部には、本体１の運転操作用のスイッチ４、及び本体１の運転状態を表示する表示装置５が設けられている。
８は、第２扉の上部に設けられ、第２洗浄室７と外部を連通するスリット状の排気口である。
図２において、本体１は、左右方向の一方に食器を洗浄、乾燥する第１洗浄室６を、他方にふきん等の繊維製品を洗浄、乾燥する第２洗浄室７が設けられている。
９は、食器を収納する下ラックで、左右に回転自在のローラー９ａが設けられ、そのローラー９ａを第１洗浄室６の両側内壁に設けたレール部１０に、乗せる事により、下ラック９を、本体１より自由に出し入れすることができる。
１１は、下ラック９の上方に位置し、食器を収納する上ラックで、下ラック９同様に左右に設けた回転自在のローラー９ａを、レール部１０に乗せる事により、本体１より自由に出し入れすることができる。
１２は、本体１の底部に設けられた第１吐出パイプで、上端に回転自在の第１ノズルアーム１３が設けられ、その第１ノズルアーム１３の上面に、洗浄水、すすぎ水を噴き出す多数の小穴１３ａが設けられている。
１４は、下ラック９に設けられた連結パイプで、下ラック９が第１洗浄室６内に収納された時に、第１吐出パイプ１２と同軸上に位置すると共に、その下端１４ａと、第１吐出パイプ１２の上端１２ａとが近接するようにしている。
１５は、上ラック１１に取り付けられた第２吐出パイプで、下端に回転自在の第２ノズルアーム１６が設けられ、その第２ノズルアーム１６の上面に、洗浄水、すすぎ水を噴き出す多数の小穴１３ａが設けられている。
第２吐出パイプ１５は、上ラック１１が第１洗浄室６内に収納された時に、連結パイプ１４と同軸上に位置すると共に、その下端１５ａと、連結パイプ１４の上端１４ｂとが近接するようになっている。
第１洗浄室６の底部には、洗浄水、すすぎ水を加熱したり、乾燥時の熱源となる第１ヒータ１７が略環状に配されている。
１８は、第１洗浄室６の底に窪んで形成され洗浄水、すすぎ水を貯めておく貯水槽で、その開口部にフイルター１８ａが設けられている。図ではフイルター１８ａは１つの部品として示されているが、それを粗いごみを捕捉する粗フイルターと細かいごみを捕捉する細フイルターの２段で構成し、しかも個々に着脱自在にすれば、ごみを効果的に捕捉出来ると共に、掃除が容易になる。
２０は、給水ポンプでその吸い込み側は接続管２０ａを介して貯水槽１８に接続され、吐出側は、第１吐出パイプ１２に接続されている。２１は、汚れた洗浄水、すすぎ水を外部に排出する排水ポンプで、 その吸い込み側は接続管２１ａを介して貯水槽１８の底部に接続され、吐出側は、下水管に連通する排水管２１ｂに接続されている。
２２は、正逆回転可能なモーターで、正転時に給水ポンプ２０を、逆転時に排水ポンプ２１をそれぞれ駆動するようになっている。
２３は、第１ソレノイドバルブ２４を介して水道管に接続された給水口である。
２５は、ファンモータ２６で駆動され、外気を取り入れ、それを第１ヒータ１７にふきつける送風ファンである。
次に、第２洗浄室７の構成について、図２〜５を用いて説明する。
２９は、第２ソレノイドバルブ２８を介して水道管に連結された第２給水口である。３０は、被洗浄物である繊維製品の1つであるふきん３４を掛ける繊維製品掛けで、略逆Ｖ字状のフレーム３０ａと、細いステンレスのワイヤーからなり、比較的目の粗い金網３０ｂから構成され、上部、下部それぞれに本体１側に設けた第１フック３１、第２フック３２を通すための穴３０ｃ、３０ｄが設けられている。
３３は、金網を略Ｕ字状に折り曲げて形成され、繊維製品掛け３０の上から掛けられたふきん３４を押える押え金網で、内方に向かって強いバネ性（付勢力）を有している。また、押え金網３３の下端には内方に折り曲げられ、繊維製品掛け３０の下端３０ｅに引っ掛けられる引っ掛け片３３ａが備えられている。
３５は、第２モータ３６で駆動されるポンプで、ポンプ３５の入口側は第１連結管３５ａを介して、第２洗浄室７の下方に窪んだ底部７ａと連通し、吐出側は第２連結管３５ｂを介して四方弁３７に連通されている。
図５に示されるように四方弁３７は、第１吐出口３７ａ、第２吐出口３７ｂ、第３吐出口３７ｃの三つの吐出口を備えている。 第１吐出口３７ａは、第２洗浄室７内の略中央に立設され、複数の小穴３８ａを有する第３吐出パイプ３８に連通している。第２吐出口３７ｂは、第２洗浄室７の両側面に沿って立設され、複数のノズル部３９ａを有する第４吐出パイプ３９に接続されている。第３吐出口３７ｃは、配水管４０に接続されている。
４１は、第１洗浄室６と第２洗浄室７の下方に位置するとともに、両者を連通する連通管で、その両端の開口部４１ａ、４１ｂは、図に示されるように下方に向いて開口している。４２は、第２洗浄室７の底部に設けられ、洗浄水、すすぎ水を加熱する第２ヒータである。４３は、洗浄時、すすぎ時に、ふきんから落ちたごみを捕捉するフイルターである。
上記構成による動作、作用は以下の通りである。
最初に、第１扉２を開け、本体１の外側に引き出した下ラック９、上ラック１１に洗浄したい食器類を載せ、下ラック９、上ラック１１を食器乾燥室６内に収納し第１扉２を閉める。
次に第２扉３を開け、繊維製品掛け３０を引き出し、その上にふきん３４を広げて掛け、その上から押え金網３３を押えつけるようにして、最後に引っ掛け片３３ａを繊維製品掛け３０の下端３０ｅに引っ掛ける。次に、第２洗浄室７に設けた第１フック３１、第２フック３２に繊維製品掛け３０の穴３０ｃ、３０ｄのそれぞれを通し、第１フック３１に設けたストッパー３１ａに当接するまで押し込み、さらに、第１フック３１の先端に設けた止め部３１ｂを起して、繊維製品掛け３０が前後に移動しないように固定し、第２扉３を閉じる。  
スイッチ４をＯＮすると、内蔵された制御装置（図示せず）により本体１の運転が開始する。
最初に第１洗浄室６内での食器洗浄の運転について述べる。
第１ソレノイドバルブ２４が開かれ、図示しない水位センサーで検知される所定の水位まで、第１洗浄室６内に給水口２３から水道水が供給される。
次に、モータ２２が正回転し、給水ポンプ２０が駆動し、水が第１吐出パイプ１２に吐出され、一部は第１ノズルアーム１３内に流れ、残りは、第１吐出パイプ１２の先端１２ａより吐出し、連結パイプ１４の下端１４ａより、連結パイプ１４内に流入し、上端１４ｂから吐出し、第２吐出パイプ１５に入り、第２ノズルアーム１６内に流入する。第１ノズルアーム１３、第２ノズルアーム１６内に入った水は、それぞれに設けた小穴１３から勢い良く噴き出され、その反動で両ノズルアームが回転し、食器類の予備洗いを所定時間おこなう。
予備洗いが終了したら、モータ２２を逆回転させて、排水ポンプ２１を駆動し、汚れた水を排水管２１ｂより、外部に排出する。
再度、第１ソレノイドバルブ２４を動作させて、水位センサーで検知される所定の水位（少なくとも、第１ヒータ１７が充分漬かる水位）まで、給水口２３から水道水を供給する。
供給された水は、第１ヒータ１７で加熱されて、温水になったら洗剤供給部（図示せず）から洗剤が加えられ、モータ２２が正回転し、給水ポンプ２０が駆動し、前述の予備洗いと同様に、ただし温水が、第１ノズルアーム１３、第２ノズルアーム１６の小穴１３から勢い良く噴き出され、両ノズルアームが回転しながら、食器類の洗浄を所定時間おこなう。洗浄中に食器類から落ちた食べ残しは、フイルター１８ａで捕捉されるので、それらが再び食器類に付着する事が無い。
洗浄工程が終了したら、モータ２２を逆回転させて、排水ポンプ２１を駆動し、汚れた水を排水管２１ｂより、外部に排出する。
再度、ソレノイドバルブ２４を動作させて、水位センサーで検知される所定の水位まで、給水口２３から水道水を供給する。
再び、モータ２２が正回転し、給水ポンプ２０が駆動し、前述の予備洗いと同様に、水が第１ノズルアーム１３、第２ノズルアーム１６の小穴１３から勢い良く噴き出され、両ノズルアームが回転しながら、食器類のすすぎを所定時間おこなう。
洗浄を終えた食器のすすぎは３回位が望ましい。最初の２回は、供給された水道水で、予備洗いと同様に、所定時間すすぎ、排水する。３回目のすすぎの時には、供給された水道水をヒーター１７で７０℃〜８０℃ぐらいの温水になるように加熱して、所定時間すすぎを行うようにすれば、すすぎ効果は勿論、殺菌効果も大きく、さらに、次の乾燥工程での乾燥も速い。
次に、乾燥工程であるが、この時点までに、後述のふきん洗浄を終了させておくように制御する。
乾燥工程では、第１ヒータ１７に通電を行いながら、ファンモータ２６で送風ファン２５を回転させて、外気を取り入れ、それを上記ヒータ１７に吹き付けるようにする。すなわち、食器の洗浄、すすぎ時に、水道水を加熱するのに使用した第１ヒータ１７と、それに外気を吹き付けるファン２５で乾燥手段とするものである。
外気は第１ヒータ１７で加熱されて温風となって、食器乾燥室６内を循環し、食器を乾燥しながら連結管４１から第２洗浄室７内に排出される。第２洗浄室７に入った温風は繊維製品掛け３０に掛けられたふきん３４を乾燥させながら、上方に登り、第２扉３の上部に設けた排気口８より外部に排出される。第１ヒータ１７で加熱される空気の温度は、第１洗浄室６の底部に取りつけられた温度センサー１９で検知されながら、所定の温度範囲に収まるように制御される。このようにして、所定時間乾燥運転を行う事で、食器は勿論ふきんの乾燥も同時に行う事が出来る。厚手のふきんなどは、乾燥に時間がかかるので、上記乾燥時に、第２ヒータ４２に通電しても良い。この場合は、連通管４１の開口部４１ｂが、下方に開口しているので、第１洗浄室６からの、蒸気を含んだ温風が第２ヒータ４２で効率良く加熱されると共に、循環が促進され、乾燥時間を大幅に短縮する事ができる。
次に、ふきん洗浄について述べる。
最初に第２ソレノイドバルブ２８が制御装置により開かれ、図示しない水位センサーで検知される所定の水位（少なくとも、第２ヒータ４２が漬かる程度）まで第２給水口２９から水道水を供給する。水道水の供給を終えたら、洗濯洗剤を供給部（図示せず）より供給し、第２ヒータ４２に通電する。
水が所定の温度になったら、第２モータ３６でポンプ３５を運転しながら、四方弁３６の第１吐出口３７ａと第２吐出口３７ｂを交互にしかも所定時間毎に切り替えるようにする。ポンプ３５と第１吐出口３７ａが連通しているときは、ポンプ３５から圧送された洗浄水は、第３吐出口パイプ３８に送られ、小穴３８ａより繊維製品掛け３０に掛けられたふきん３４の内面に吹きつけられる。また、ポンプ３５が第２吐出口３７ｂに連通しているときは、ポンプ３５から圧送された洗浄水は、第４吐出口パイプ３９に送られ、今度は、ノズル３９ａよりふきん３４の外面に吹きつけられる。このように、洗浄水をふきんの両面から交互に吹き付けることにより、汚れやごみが偏って一方の面に残る事がなく、洗浄効果が高まるものである。
また、洗浄水が循環している間に、ふきんに付いていたごみ等はフイルター４３で捕捉されるので、それが再びふきんに付着する事が無い。
そして所定時間の洗浄工程が終えたら四方弁３７を切り替えて第３吐出口３７ｃとポンプ３５を連通させて、汚れた水を排水管４０より外部に排出する。
次に、すすぎ工程に入るが、すすぎは３回程度が望ましい。最初の２回は、供給された水道水だけですすぎ、排水する。具体的なすすぎの運転は、洗剤を使用しないだけで、洗浄工程と同一なので、その説明は省略する。最終のすすぎの時は、供給された水道水を、第２ヒータ４２で、６０〜７０℃ぐらいまで加熱し、それですすぐようにすれば、ふきんなど衛生上気になるものついては、殺菌効果が大である。
次に、ふきん３４の乾燥工程に入るが、それは既に述べた通りであるので、説明は省く。
このように、本実施の形態の食器洗浄機は、通常の食器洗浄を第１洗浄室６で行いながら、第２洗浄室７でふきん３４等の洗浄も個別にしかも同時に行えるので非常に使い勝手が良く、さらにふきん３４なども温風で乾燥されるので非常に衛生的である。
また、第１洗浄室６と第２洗浄室７を連通させ、被洗浄物を乾燥させるための外気、或いは温風を一方の洗浄室から他方の洗浄室に送るようにしたので、１つの乾燥手段で両洗浄室の被洗浄物が乾燥でき、構成が簡素化され安価な食器洗浄機を提供する事が出来る。特に、第１洗浄室６内の食器の乾燥に供された温風を第２洗浄室７を経て外部に排出するようにすることで、主洗浄室である第１洗浄室６からの強力な温風で、第２洗浄室７の被洗浄物の乾燥が行われ、 第２洗浄室７の被洗浄物の乾燥を早める事ができる。この時、第２洗浄室７の第２ヒータ４２にも通電して乾燥効率を高める場合、第１洗浄室６から温風が送られてくるので、その分第２ヒータ４２の消費電力が少なくて済むものである。
また、第２洗浄室７に、ふきん３４の洗浄・乾燥に効率的な繊維製品掛け３０を出し入れ自在に設けることにより、繊維製品掛け３０にふきんを掛ける作業が極めて容易になる。
なお、上記実施の形態では、ふきん３４の洗浄、乾燥用に第２洗浄室７を用いたが、第２洗浄室７専用の食器ラックをアタッチメントとして提供し、第１洗浄室６に入りきれなかった食器類を洗浄,乾燥するようにしても良い。
また、上記実施の形態では、繊維製品の洗浄、乾燥用にワイヤーで形成した繊維製品掛け３０を用いたが、一般の衣料用洗濯機に使用されているドラム型の洗濯槽の小型のものを使用するようにしても良い。
（実施の形態２）
【０００８】
以下、本発明の第２の実施の形態における食器洗浄機を図６、７を用いて説明する。
なお、上記実施の形態と同一部分については、同一符号、名称を用いてその説明を省略する。
上記第１の実施の形態では、乾燥時に温風を第１洗浄室６から第２洗浄室７に送るようにしたが、本実施の形態では、温風の流れ方向を逆にしたものである。
図６（ａ）は、本実施の形態の食器洗浄機の斜視図で、５１は、第１扉２の上部に設けられた排気口で、第１洗浄室６と外部とを連通している。５２は、モータ５３で回転される送風ファンで、外気を第２洗浄室７内に取り入れるものである。５４は、繊維製品掛け３０の重量変化を検知して、被洗浄物であるふきんが取り付けられているかいないかを検知する被洗浄物検知手段で、制御装置（図示せず）に接続されている。
上記構成による、作用は以下の通りである。
最初に、被洗浄物検知手段５４で、第２洗浄室７内にふきんなどの被洗浄物が有るかどうかの判定が行われる。もし、被洗浄物検知手段５４により、第２洗浄室にふきんなどの被洗浄物があると判断された場合は、第１洗浄室６と同様に第２洗浄室７においても、洗浄、すすぎの工程が行われる。そしてモータ５３によって回転する送風ファン５２により流入した外気が、第２ヒータ４２により加熱され温風となって、循環しながら第２洗浄室７内の被洗浄物を乾燥する。
発生した蒸気とともに温風は、連通管４１を経て第１洗浄室６に入り、第１ヒータ１７で再加熱され、循環しながら食器を乾燥し、排気口５１から外部に排出される。
また、被洗浄物検知手段５４により、第２洗浄室に被洗浄物が無いと判断された場合は、第２洗浄室７において、洗浄、すすぎ等の運転を行わず、第１洗浄室６内での洗浄、すすぎ工程終了後、第１ヒータ１７、モータ５３に通電する。
モータ５３の回転により、送風ファン５２が回転し、外気が第２洗浄室７に流入し、連通管４１を経て第１洗浄室６に入り、第１ヒータ１７に吹き付けられ、加熱されて温風となって、それが第１洗浄室６内で循環しながら食器を乾燥し、最終的に排気口５１から、外部に排出される。
以上のように、本実施の形態によれば、第２洗浄室７に被洗浄物が無い場合、第２洗浄室７で洗浄、すすぎ運転はせず、しかも乾燥時に第２ヒータ４２に通電しないので、電力の無駄を省く事ができる。
また、ふきん３４等繊維からなる被洗浄物の乾燥は、水分が内部まで浸透しているので食器に較べ乾燥し難いが、本実施の形態では、乾いた外気が第２洗浄室７側から入るので、第２洗浄室７内の被洗浄物の乾燥が促進され、全体的に乾燥時間が短縮できる。
なお、上記実施の形態では、食器や被洗浄物を乾燥させる乾燥手段の送風ファン５２を、外気取り入れ口近傍に設けたが、外気取り入れ口はそのままの位置で、送風ファン５２を排気口５１側に設けて、外気を第１、第２洗浄室６、７内に吸引するようにすれば、両洗浄室６、７内は、常時負圧が作用し、乾燥時に発生する蒸気が排気口５１以外の場所から漏れるのを防止することもできる。
【産業上の利用可能性】
【０００９】
以上のように、本発明にかかる食器洗浄機は、使用勝手が良く、しかもふきんなどの繊維製品を衛生的に洗浄、乾燥することができ、一般家庭において極めて有用なものである。
【図面の簡単な説明】
【００１０】
【図１】本発明の第１の実施の形態を示す食器洗浄機の全体斜視図
【図２】同食器洗浄機の断面図
【図３】図２のＡ−Ａ部分断面図
【図４】同食器洗浄機の第２洗浄室に設けられる繊維製品掛けの使用状態を示す展開図
【図５】（ａ）同食器洗浄機に使用される四方弁の動作を示す略図（第１吐出口３７ａに連通している状態）、（ｂ）同四方弁の動作を示す図（第２吐出口３７ｂに連通している状態）、（ｃ）同四方弁の動作を示す図（第３吐出口３７ｃに連通している状態）
【図６】本発明の第２の実施の形態を示す食器洗浄機の全体斜視図
【図７】同食器洗浄機の断面図
【符号の説明】
【００１１】
１  本体
２  第１扉
３  第２扉
６  第１洗浄室
７  第２洗浄室
１７  第１ヒータ（加熱手段、乾燥手段）
２５  送風ファン（乾燥手段）
２６  ファンモータ（乾燥手段）
３４  ふきん（繊維製品）
３７  四方弁
４２  第２ヒータ（加熱手段、乾燥手段）
５２  送風ファン（乾燥手段）
５３  モータ（乾燥手段）
【図１】
2005160959.tif 000003
【図２】
2005160959.tif 000004
【図３】
2005160959.tif 000005
【図４】
2005160959.tif 000006
【図５】
2005160959.tif 000007
【図６】
2005160959.tif 000008
【図７】
2005160959.tif 000009